(57)【要約】  パラメータ測定、及び信号、薬剤、熱などの出力又は伝達に対して新しい手法を取るデバイス。これらのデバイスは、小型、万能、比較的廉価、かつ有効に使用する訓練が最小限で済む。これらのデバイスは、ウェアラブル物品又はデバイス内に組み込まれる交換可能デバイスとして構成することができる。【選択図】図１
2018514256.tif 000002
【特許請求の範囲】
【請求項１】
ユーザの指上に全体的に支持されるように構成されたデバイス本体と、
前記デバイス本体上に位置する電源と、
前記デバイス本体上に位置し、前記電源から電力を受け入れて出力を前記ユーザの指の皮膚以外の皮膚に送出するように構成された出力要素と、
前記デバイス本体上に位置する通信デバイスであって、個別の電子デバイスから信号を受信し、かつ該信号を用いて前記出力要素を制御するように構成された通信デバイスと、
を含むウェアラブル物品。
【請求項２】
前記出力要素は、超音波出力デバイス、音声出力デバイス、電気出力デバイス、針、薬物送出デバイス、磁気デバイス、発光源、高周波放出デバイス、試料収集器、薬物送出イオントフォレーゼ、熱伝達デバイス、複合薬物送出及び熱伝達デバイス、並びにレーザドップラー測定デバイスのうちの少なくとも１つを含む、請求項１に記載のウェアラブル物品。
【請求項３】
前記出力要素は、前記ユーザの指の皮膚以外の前記皮膚と直接インタフェースをとるように構成された接触出力要素である、請求項１に記載のウェアラブル物品。
【請求項４】
前記出力要素は、非接触出力要素である、請求項１に記載のウェアラブル物品。
【請求項５】
前記出力要素は、該出力要素とは異なる他の出力要素と交換可能である、請求項２に記載のウェアラブル物品。
【請求項６】
前記個別の電子デバイスは、腕時計、ラップトップ、タブレット、及び携帯電話のうちの１つである、請求項１に記載のウェアラブル物品。
【請求項７】
ユーザの指上に全体的に支持されるように構成されたデバイス本体と、
前記デバイス本体上に位置する電源と、
前記デバイス本体上に位置する入力要素であって、前記電源から電力を受け入れ、前記ユーザの指の皮膚以外の皮膚のパラメータを測定し、及び該測定されたパラメータを表す信号を送信するように構成された入力要素と、
前記デバイス本体上に位置する通信デバイスであって、前記信号を受信し、かつ該信号を個別の電子デバイスに送信するように構成された通信デバイスと、
を含むウェアラブル物品。
【請求項８】
前記入力要素は、血糖計ストリップ、光検出デバイス、高周波検出デバイス、試料収集器、音声受信機又はマイクロフォン、カメラ、温度センサ、複合熱伝達及び薬物送出デバイス、血圧感知デバイス、レーザドップラー測定デバイス、並びに圧力センサのうちの少なくとも１つを含む、請求項７に記載のウェアラブル物品。
【請求項９】
前記入力要素は、前記ユーザの指の皮膚以外の前記皮膚と直接インタフェースをとるように構成された接触入力要素である、請求項７に記載のウェアラブル物品。
【請求項１０】
前記入力要素は、非接触入力要素である、請求項７に記載のウェアラブル物品。
【請求項１１】
前記入力要素は、該入力要素とは異なる他の入力要素と交換可能である、請求項８に記載のウェアラブル物品。
【請求項１２】
前記個別の電子デバイスは、腕時計、ラップトップ、タブレット、及び携帯電話のうちの１つである、請求項７に記載のウェアラブル物品。
【請求項１３】
指によって全体的に支持されるように構成されたデバイス本体と、
前記デバイス本体上に位置する電源と、
前記デバイス本体上に位置する複合入力及び出力要素であって、前記電源から電力を受け入れ、少なくとも１つの出力を前記ユーザの指の皮膚以外の皮膚に供給し、該ユーザの指の皮膚以外の該皮膚のパラメータを測定し、及び該測定されたパラメータを表す信号を送信するように構成された複合入力及び出力要素と、
前記デバイス本体上に位置する通信デバイスであって、前記信号を受信し、かつ該信号を個別の電子デバイスに送信するように構成された通信デバイスと、
を含む、ウェアラブル物品。
【請求項１４】
前記複合入力及び出力要素は、複合針及び血糖計ストリップ、複合高周波放出及び高周波検出デバイス、複合放出及び検出デバイス、並びに複合熱伝達及び血圧感知デバイスのうちの１つを含む、請求項１３に記載のウェアラブル物品。
【請求項１５】
前記複合入力及び出力要素は、前記ユーザの指の皮膚以外の前記皮膚と直接インタフェースをとるように構成された接触入力及び出力要素である、請求項１３に記載のウェアラブル物品。
【請求項１６】
前記複合入力及び出力要素は、非接触複合入力及び出力要素である、請求項１３に記載のウェアラブル物品。
【請求項１７】
前記複合入力及び出力要素は、該複合入力及び出力要素とは異なる他の複合入力及び出力要素と交換可能である、請求項１４に記載のウェアラブル物品。
【請求項１８】
前記個別の電子デバイスは、腕時計、ラップトップ、タブレット、及び携帯電話のうちの１つである、請求項１３に記載のウェアラブル物品。
【請求項１９】
長手方向に延びるデバイス本体と、
前記デバイス本体上に支持され、かつ該デバイス本体とほぼ平行である方向に延びる取っ手であって、ユーザの手の１又は２以上の指によって保持されるように構成された取っ手と、
前記デバイス本体上に位置する電源と、
前記デバイス本体に沿って位置する複数の要素であって、該複数の要素は、入力要素、出力要素、並びに複合入力及び出力要素の群からの少なくとも１つの要素を含み、該複数の要素は、前記電源から電力を受け入れ、少なくとも１つの出力を前記ユーザの手の皮膚以外の皮膚に供給し、該ユーザの手の皮膚以外の該皮膚のパラメータを測定し、及び該測定されたパラメータを表す信号を送信するという群からの少なくとも３つのデバイス機能を有して構成される、複数の要素と、
前記デバイス本体上に位置する通信デバイスであって、前記信号が前記少なくとも１つの要素によって送信される場合に該信号を受信し、かつ該信号を個別の電子デバイスに送信するように構成された通信デバイスと、
を含む、ウェアラブル物品。
【請求項２０】
前記少なくとも１つの要素は、超音波出力デバイス、音声出力デバイス、電気出力を含むデバイス、針、血糖計ストリップ、複合針及び血糖計ストリップ、薬物送出デバイス、磁気デバイス、発光源、光検出デバイス、高周波放出デバイス、高周波検出デバイス、複合高周波放出及び高周波検出デバイス、試料収集器、音声受信機又はマイクロフォン、カメラ、複合放出及び検出デバイス、薬物送出イオントフォレーゼ、熱伝達デバイス、温度センサ、複合熱伝達及び薬物送出デバイス、血圧感知デバイス、複合熱伝達及び血圧感知デバイス、レーザドップラー測定デバイス、並びに圧力センサのうちの１つである、請求項１９に記載のウェアラブル物品。
【請求項２１】
前記少なくとも１つの要素は、前記ユーザの手の皮膚以外の前記皮膚と直接インタフェースをとるように構成された接触要素である、請求項１９に記載のウェアラブル物品。
【請求項２２】
前記少なくとも１つの要素は、非接触要素である、請求項１９に記載のウェアラブル物品。
【請求項２３】
前記少なくとも１つの要素は、該少なくとも１つの要素とは異なる他の要素と交換可能である、請求項２０に記載のウェアラブル物品。
【請求項２４】
前記個別の電子デバイスは、腕時計、ラップトップ、タブレット、及び携帯電話のうちの１つである、請求項１９に記載のウェアラブル物品。
【請求項２５】
少なくとも１つの手袋指延長部を含む手袋であって、ユーザの手上に位置するように構成された手袋と、
前記手袋上に位置する電源と、
前記少なくとも１つの手袋指延長部上に位置する少なくとも１つの要素であって、該少なくとも１つの要素は、入力要素、出力要素、並びに複合入力及び出力要素の群からの少なくとも１つの要素を含み、該少なくとも１つの要素は、前記電源から電力を受け入れ、少なくとも１つの出力を前記ユーザの手の皮膚以外の皮膚に供給し、該ユーザの手の皮膚以外の該皮膚のパラメータを測定し、及び該測定されたパラメータを表す信号を送信するという群からの少なくとも２つのデバイス機能を有して構成される、少なくとも１つの要素と、
前記手袋上に位置する通信デバイスであって、前記信号が前記少なくとも１つの要素によって送信される場合に該信号を受信し、かつ該信号を個別の電子デバイスに送信するように構成された通信デバイスと、
を含む、ウェアラブル物品。
【請求項２６】
前記少なくとも１つの要素は、超音波出力デバイス、音声出力デバイス、電気出力を含むデバイス、針、血糖計ストリップ、複合針及び血糖計ストリップ、薬物送出デバイス、磁気デバイス、発光源、光検出デバイス、高周波放出デバイス、高周波検出デバイス、複合高周波放出及び高周波検出デバイス、試料収集器、音声受信機又はマイクロフォン、カメラ、複合放出及び検出デバイス、薬物送出イオントフォレーゼ、熱伝達デバイス、温度センサ、複合熱伝達及び薬物送出デバイス、血圧感知デバイス、複合熱伝達及び血圧感知デバイス、レーザドップラー測定デバイス、並びに圧力センサのうちの１つである、請求項２５に記載のウェアラブル物品。
【請求項２７】
前記少なくとも１つの要素は、前記ユーザの手の皮膚以外の前記皮膚と直接インタフェースをとるように構成された接触要素である、請求項２５に記載のウェアラブル物品。
【請求項２８】
前記少なくとも１つの要素は、非接触要素である、請求項２５に記載のウェアラブル物品。
【請求項２９】
前記少なくとも１つの要素は、該少なくとも１つの要素とは異なる他の要素と交換可能である、請求項２６に記載のウェアラブル物品。
【請求項３０】
前記個別の電子デバイスは、腕時計、ラップトップ、タブレット、及び携帯電話のうちの１つである、請求項２５に記載のウェアラブル物品。
【請求項３１】
ウェアラブル物品であって、
ユーザの指上に全体的に支持されるように構成されたデバイス本体と、
前記デバイス本体上に位置する電源と、
前記デバイス本体上に位置する第１の出力要素であって、該第１の出力要素は、前記電源から電力を受け入れ、かつ出力を送出するように構成され、該第１の出力要素は、超音波出力デバイス、音声出力デバイス、電気出力デバイス、針、薬物送出デバイス、磁気デバイス、発光源、高周波放出デバイス、試料収集器、薬物送出イオントフォレーゼ、熱伝達デバイス、複合薬物送出及び熱伝達デバイス、並びにレーザドップラー測定デバイスのうちの少なくとも１つを含む、第１の出力要素と、
前記デバイス本体上に位置する通信デバイスであって、個別の電子デバイスから信号を受信し、かつ該信号を用いて前記出力要素を制御するように構成された通信デバイスと、
を含み、
前記デバイス本体は、前記第１の出力要素の取り外しと、該第１の出力要素とは異なる第２の出力要素との該第１の出力要素の交換とを可能にするように構成され、該デバイス本体は、次に該第２の出力要素を支持するように構成される、ウェアラブル物品。
【請求項３２】
ウェアラブル物品であって、
ユーザの指上に全体的に支持されるように構成されたデバイス本体と、
前記デバイス本体上に位置する電源と、
前記デバイス本体上に位置する第１の入力要素であって、該第１の入力要素は、前記電源から電力を受け入れ、皮膚のパラメータを測定し、及び該測定されたパラメータを表す信号を送信するように構成され、該第１の入力要素は、血糖計ストリップ、光検出デバイス、高周波検出デバイス、試料収集器、音声受信機又はマイクロフォン、カメラ、温度センサ、複合熱伝達及び薬物送出デバイス、血圧感知デバイス、レーザドップラー測定デバイス、並びに圧力センサのうちの少なくとも１つを含む、第１の入力要素と、
前記デバイス本体上に位置する通信デバイスであって、前記信号を受信し、かつ該信号を個別の電子デバイスに送信するように構成された通信デバイスと、
を含み、
前記デバイス本体は、前記第１の入力要素の取り外しと、該第１の入力要素とは異なる第２の入力要素との該第１の入力要素の交換とを可能にするように構成され、該デバイス本体は、次に該第２の入力要素を支持するように構成される、ウェアラブル物品。
【発明の詳細な説明】
【技術分野】
【０００１】
本発明の開示は、測定及び／又は伝達装置を支持するように構成されたウェアラブルデバイスに関する。
【背景技術】
【０００２】
測定及び伝達デバイス、特に医療機能に関連付けられたものは、典型的に大型で高価なデバイスである。更に、そのようなデバイスは、適正な測定及び／又は治療伝達に対して位置決めすることが困難である可能性がある。
【先行技術文献】
【特許文献】
【０００３】
【特許文献１】米国仮特許出願第６２／１３１，０５６号明細書
【特許文献２】米国特許出願第１５／０６７，０３０号明細書
【発明の概要】
【課題を解決するための手段】
【０００４】
本発明の開示の実施形態の利点及び特徴は、添付図面と組み合わせると例示的実施形態の以下の詳細説明からより明らかになるであろう。
【図面の簡単な説明】
【０００５】
【図１】本発明の開示の例示的実施形態によるウェアラブルデバイスの図である。
【図２】本発明の開示の別の例示的実施形態によるウェアラブルデバイスの図である。
【図３】本発明の開示の例示的実施形態による更に別のウェアラブルデバイスの図である。
【図４】図３のウェアラブルデバイスの別の図である。
【図５】図３のウェアラブルデバイスの更に別の図である。
【図６】図３のウェアラブルデバイスの側面図である。
【図７】図３のウェアラブルデバイスの端面図である。
【図８】図６のデバイスの線８−８に沿った断面図である。
【図９】図７のデバイスの線９−９に沿った断面図である。
【図１０】本発明の開示の例示的実施形態による更に別のウェアラブルデバイスの図である。
【図１１】本発明の開示の例示的実施形態によるデバイスの図である。
【図１２】図１１のデバイスの正面図である。
【図１３】図１１のデバイスの背面図である。
【図１４】ユーザの手上に位置する図１１のデバイスの図である。
【図１５】ユーザの手上に位置する図１１のデバイスの正面図である。
【図１６】本発明の開示の例示的実施形態によるウェアラブルデバイス上に位置するように構成された第１のデバイスの概略図である。
【図１７】本発明の開示の例示的実施形態によるウェアラブルデバイス上に位置するように構成された第２のデバイスの概略図である。
【図１８】本発明の開示の例示的実施形態によるウェアラブルデバイス上に位置するように構成された第３のデバイスの概略図である。
【図１９】本発明の開示の例示的実施形態によるウェアラブルデバイス上に位置するように構成された第４のデバイスの概略図である。
【図２０】本発明の開示の例示的実施形態によるウェアラブルデバイス上に位置するように構成された第５のデバイスの概略図である。
【図２１】本発明の開示の例示的実施形態によるウェアラブルデバイス上に位置するように構成された第６のデバイスの概略図である。
【図２２】本発明の開示の例示的実施形態によるウェアラブルデバイス上に位置するように構成された第７のデバイスの概略図である。
【図２３】本発明の開示の例示的実施形態によるウェアラブルデバイス上に位置するように構成された第８のデバイスの概略図である。
【図２４】本発明の開示の例示的実施形態によるウェアラブルデバイス上に位置するように構成された第９のデバイスの概略図である。
【図２５】本発明の開示の例示的実施形態によるウェアラブルデバイス上に位置するように構成された第１０のデバイスの概略図である。
【図２６】本発明の開示の例示的実施形態によるウェアラブルデバイス上に位置するように構成された第１１のデバイスの概略図である。
【図２７】本発明の開示の例示的実施形態によるウェアラブルデバイス上に位置するように構成された第１２のデバイスの概略図である。
【図２８】本発明の開示の例示的実施形態によるウェアラブルデバイス上に位置するように構成された第１３のデバイスの概略図である。
【図２９】本発明の開示の例示的実施形態によるウェアラブルデバイス上に位置するように構成された第１４のデバイスの概略図である。
【図３０】本発明の開示の例示的実施形態によるウェアラブルデバイス上に位置するように構成された第１５のデバイスの概略図である。
【図３１】本発明の開示の例示的実施形態によるウェアラブルデバイス上に位置するように構成された第１６のデバイスの概略図である。
【図３２】本発明の開示の例示的実施形態によるウェアラブルデバイス上に位置するように構成された第１７のデバイスの概略図である。
【図３３】本発明の開示の例示的実施形態によるウェアラブルデバイス上に位置するように構成された第１８のデバイスの概略図である。
【図３４】本発明の開示の例示的実施形態によるウェアラブルデバイス上に位置するように構成された第１９のデバイスの概略図である。
【図３５】本発明の開示の例示的実施形態によるウェアラブルデバイス上に位置するように構成された第２０のデバイスの概略図である。
【図３６】本発明の開示の例示的実施形態によるウェアラブルデバイス上に位置するように構成された第２１のデバイスの概略図である。
【図３７】本発明の開示の例示的実施形態によるウェアラブルデバイス上に位置するように構成された第２２のデバイスの概略図である。
【図３８】本発明の開示の例示的実施形態によるウェアラブルデバイス上に位置するように構成された第２３のデバイスの概略図である。
【図３９】本発明の開示の例示的実施形態によるウェアラブルデバイス上に位置するように構成された第２４のデバイスの概略図である。
【図４０】本発明の開示の例示的実施形態によるウェアラブルデバイス上に位置するように構成された第２５のデバイスの概略図である。
【図４１】本発明の開示の例示的実施形態によるウェアラブルデバイス上に位置するように構成された第２６のデバイスの概略図である。
【図４２】本発明の開示の例示的実施形態によるウェアラブルデバイス上に位置するように構成された第２７のデバイスの概略図である。
【図４３】エネルギを皮膚に伝達するための接触要素の概略図である。
【図４４】本発明の開示の例示的実施形態による指ぬき状デバイスの図である。
【図４５】本発明の開示の例示的実施形態による別の指ぬき状デバイスの図である。
【図４６】本発明の開示の例示的実施形態による更に別の指ぬき状デバイスの図である。
【図４７】本発明の開示の例示的実施形態による更に別の指ぬき状デバイスの図である。
【図４８】本発明の開示の例示的実施形態による更に別の指ぬき状デバイスの図である。
【図４９】本発明の開示の例示的実施形態による更に別の指ぬき状デバイスの図である。
【図５０】本発明の開示の例示的実施形態による手袋デバイスの図である。
【図５１】患者又は被験者によって使用中の図５０の手袋デバイスの図である。
【図５２】本発明の開示の例示的実施形態による別の手袋デバイスの図である。
【図５３】本発明の開示の例示的実施形態による更に別の手袋デバイスの図である。
【図５４】本発明の開示の例示的実施形態による指輪又は指輪状デバイスの図である。
【図５５】ユーザによって着用されている図５４の指輪又は指輪状デバイスの図である。
【図５６】ユーザによって着用されている図５４の指輪又は指輪状デバイスの別の図である。
【図５７】ユーザによって作動されている図５４の指輪又は指輪状デバイスの更に別の図である。
【図５８】本発明の開示の例示的実施形態による別の指輪又は指輪状デバイスの図である。
【図５９】本発明の開示の例示的実施形態による更に別の指輪又は指輪状デバイスの図である。
【図６０】本発明の開示の例示的実施形態による更に別の指輪又は指輪状デバイスの図である。
【図６１】本発明の開示の例示的実施形態による更に別の指輪又は指輪状デバイスの図である。
【図６２】本発明の開示の例示的実施形態による更に別の指輪又は指輪状デバイスの図である。
【図６３】ユーザの指上に着用されている図６２の指輪又は指輪状デバイスの別の図である。
【図６４】ユーザによって作動されている図６２の指輪又は指輪状デバイスの更に別の図である。
【図６５】本発明の開示の例示的実施形態による更に別の指輪又は指輪状デバイスの図である。
【図６６】本発明の開示の例示的実施形態による指輪又は指輪状デバイスの図である。
【図６７】ユーザの指上に着用されている図６６の指輪又は指輪状デバイスの図である。
【図６８】本発明の開示の例示的実施形態による別の指輪又は指輪状デバイスの図である。
【図６９】ユーザによって作動されている図６８の指輪又は指輪状デバイスの一部分の図である。
【図７０】本発明の開示の例示的実施形態による更に別の指輪又は指輪状デバイスの図である。
【図７１】図７０の指輪又は指輪状デバイスの更に別の図である。
【図７２】本発明の開示の例示的実施形態による指輪又は指輪状デバイスの図である。
【図７３】図７２の指輪又は指輪状デバイスの別の図である。
【図７４】図７２の指輪又は指輪状デバイスの更に別の図である。
【図７５】本発明の開示の例示的実施形態による手支持式デバイスの図である。
【図７６】図７５のデバイスの背面図である。
【図７７】図７５のデバイスの側面図である。
【図７８】図７５のデバイスの斜視図である。
【図７９】本発明の開示の例示的実施形態による別のデバイスの図である。
【図８０】本発明の開示の例示的実施形態による更に別のデバイスの図である。
【図８１】図８０のデバイスの別の図である。
【図８２】本発明の開示の例示的実施形態による手持ち式デバイスの図である。
【図８３】図８２のデバイスの別の図である。
【図８４】図８２のデバイスの更に別の図である。
【発明を実施するための形態】
【０００６】
パラメータを測定して信号、薬剤、熱などを出力又は伝達するデバイスは公知である。これらのデバイスは、高価で比較的大きいことが典型的であり、これらのデバイスの各々は、特定の機能のために特化されている。例えば、血糖(blood glucose)を検査する専用デバイスが存在する。本発明の開示は、パラメータ測定と信号、薬剤、熱などの出力又は伝達とに対して異なる手法を取るデバイスについて説明する。これらのデバイスは、小型、万能、比較的廉価、かつ有効に使用する訓練が最小限で済む。
【０００７】
図１は、本発明の開示の例示的実施形態による全体的に１０に示したウェアラブルデバイスを示している。ウェアラブルデバイス１０は、デバイス本体１２と、電源１４と、接触要素１６と、送信機、受信機、又は送受信機１８とを含むように構成される。デバイス本体１２は、ユーザの指２０上に位置し、かつ指によって全体的に支持されるように構成される。指２０上のデバイス本体１２の場所により、デバイス１０は、デバイス本体１２上に位置する接触要素１６のタイプに応じて指ぬきセンサ、指ぬき送信機、指ぬき送出デバイスなどと表現することができる。電源１４は、デバイス１０の電気要素に電力を供給するように構成される。接触要素１６は、本明細書でより詳細に説明する複数の接触感知、測定、又は出力デバイスのうちのいずれか１つを含むように構成することができる。開示する例示的実施形態では、本明細書に説明する出力デバイスは、人間の皮膚とすることができる皮膚に出力を供給するように構成されることは理解しなければならない。例示的実施形態では、接触要素１６は、差込式デバイスであり、すなわち、ユーザは、１つの接触要素１６を取り外して、この代わりに別の接触要素１６に置換することができ、これが、多くの異なる機能を実行する機能をデバイス１０に与える。接触要素１６が測定又は感知デバイスである場合に、接触要素１６からの信号は、送信機１８によって個別の電子デバイス２２、２４、及び／又は２６に送信され、これらのデバイスは、送信されてくる信号を受信し、信号を分析、表示、及び／又は格納するように構成される。個別の電子デバイス２２、２４、及び／又は２６は、例えば、腕時計、ラップトップ、タブレット、携帯電話、コンピュータ、又は他の類似のデバイスとすることができる。接触要素１６は、引用によって内容全体がこれにより全体的に組み込まれる本出願人の２０１５年３月１０日出願の米国仮特許出願第６２／１３１，０５６号明細書に対する優先権を主張する２０１６年３月１０日出願で現在特許出願中の米国特許出願第１５／０６７，０３０号明細書に説明されたデバイスを含め、ペルチェデバイスのような温度変更デバイス、抵抗デバイス、及び他の温度デバイス又は発光デバイスによって置換することができることは理解しなければならない。
【０００８】
図２は、本発明の開示の別の例示的実施形態による全体的に３０に示したウェアラブルデバイスを示している。ウェアラブルデバイス３０は、デバイス本体３２と、電源３４と、要素３６と、送信機、受信機、又は送受信機３８とを含むように構成される。デバイス本体３２は、ユーザの指２０上に位置するように構成される。指２０上のデバイス本体３２の場所により、デバイス３０は、デバイス本体３２上に位置する要素３６のタイプに応じて指ぬきセンサ、指ぬき送信機、指ぬき送出デバイスなどと表現することができる。電源３４は、デバイス３０の電気要素に電力を供給するように構成される。要素３６は、本明細書でより詳細に説明する複数の非接触感知、測定、又は出力デバイスのうちのいずれか１つを含むように構成することができる。例示的実施形態では、要素３６は、差込式デバイスであり、すなわち、ユーザは、１つの要素３６を取り外して、この代わりに別の要素３６に置換することができ、これが、多くの異なる機能を実行する機能をデバイス３０に与える。要素３６が測定又は感知デバイスである場合に、要素３６からの信号は、送信機３８によって個別の電子デバイス２２、２４、及び／又は２６に送信され、これらのデバイスは、送信されてくる信号を受信し、信号を分析、表示、及び／又は格納するように構成される。個別の電子デバイス２２、２４、及び／又は２６は、例えば、腕時計、ラップトップ、タブレット、携帯電話とすることができる。
【０００９】
図３−９は、本発明の開示の例示的実施形態による全体的に５０に示した更に別のウェアラブルデバイスを示している。ウェアラブルデバイス５０は、デバイス本体５２と、電源５４と、熱スキャナの形態の接触要素５６と、送信機、受信機、又は送受信機５８とを含むように構成される。デバイス本体５２は、ユーザの指２０上に位置するように構成される。指２０上のデバイス本体５２の場所により、デバイス５０は、指ぬきセンサと表現することができる。電源５４は、デバイス５０の電気要素に電力を供給するように構成される。熱スキャナ５６は、Ａｂｒｅｕ脳熱トンネル（ＡＢＴＴ）終端２８の温度読取値を取得するように構成される。熱スキャナ５６からの信号は、送信機５８によって個別の電子デバイス６０に送信され、このデバイスは、送信されてくる信号を受信し、信号を分析、表示、及び／又は格納するように構成される。個別の電子デバイス６０は、腕時計としても機能することができる手首装着式デバイスとして示している。図３−５の例示的実施形態では、デバイス５０は、手首支持体又はストラップ６２、及びディスプレイ６４を含むように構成される。
【００１０】
ユーザは、デバイス５０から個別の電子デバイス６０に送信される信号の分析によって熱スキャナ５６を案内することができる。ＡＢＴＴ終端２８の温度が典型的に周辺の皮膚の温度よりも高いので、個別の電子デバイス６０は、ピーク温度を決定して熱スキャナ５６をピーク温度の場所まで案内するように構成される。そのような案内は、ディスプレイ６４の点滅又は他の視覚インジケータ、又は音声出力（図示せず）によってディスプレイ６４上に提示される通知によって行うことができる。
【００１１】
デバイス５０は、熱スキャナ５６を含むように構成されるが、デバイス５０は、デバイス１０及び３０と同様に他の要素を含むように構成することができる点は理解しなければならない。熱スキャナ５６は、光放出器に結合された赤外線検出器を含むことができる点は理解しなければならない。
【００１２】
図１０は、本発明の開示の例示的実施形態による全体的に７０に示した更に別のウェアラブルデバイスの図を示している。手袋として構成されたウェアラブルデバイス７０は、デバイス本体７２と、電源７４と、熱センサ７６の形態の接触要素と、送信機、受信機、又は送受信機７８とを含むように構成される。デバイス本体７２は、ユーザの手（図示せず）上に位置するように構成される。電源７４は、デバイス７０の電気要素に電力を供給するように構成される。熱センサ７６は、ＡＢＴＴ終端２８の温度読取値を取得するように構成される。熱センサ７６からの信号は、送信機７８によって個別の電子デバイス２２、２４、及び／又は２６に送信され、これらのデバイスは、送信されてくる信号を受信し、信号を分析、表示、及び／又は格納するように構成される。
【００１３】
デバイス７０は、熱センサ７６を含むように構成されるが、デバイス７０は、デバイス１０及び３０と同様に他の接触又は非接触要素を含むように構成することができる点は理解しなければならない。更に、デバイス７０では、センサが人差し指上にあるように示しているが、デバイス７０は、親指を含む他の指上にセンサ又は出力要素を有して構成することができる点は理解しなければならない。
【００１４】
図１１−１５は、本発明の開示の例示的実施形態による全体的に９０に示した保持可能デバイス又はウェアラブルデバイスの図である。ブラスナックルに類似する方法で手９４の指９２によって保持されるように構成されたデバイス９０は、デバイス本体９６と、つまみ又は取っ手９８と、電源１００と、複数の入力又はセンサ要素及び出力又は送出要素１０２と、送信機、受信機、又は送受信機１０４とを含むように構成される。つまみ又は取っ手９８は、デバイス本体９６上に取り付け又は位置するように構成される。デバイス本体９６は、電源１００、要素１０２、及び送信機１０４を支持するように構成される。電源１００は、デバイス９０の電気要素に電力を供給するように構成される。要素１０２からの信号は、送信機１０４によって個別の電子デバイス２２、２４、２６又は６０に送信され、これらのデバイスは、送信されてくる信号を受信し、信号を分析、表示、及び／又は格納するように構成される。
【００１５】
複数の要素１０２により、デバイス９０は、１つの測定から別の測定に迅速に移行し、複数の同時測定を可能にし、入力及び出力のタイプ、並びに入力及び出力が位置する場所に応じて、１又は２以上の出力、又は入力又は測定及び出力又は送出の組合せを可能にすることができる。例えば、薬剤が送出される間に血糖測定を行うことができる。別の例では、薬剤及び／又は光学療法が送出される間に体温、脈拍数、及び血糖値を測定することができる。要素１０２は、接触又は非接触デバイスとして、これら両方の混合物を含んで構成することができることは理解しなければならない。
【００１６】
図１６−４２は、本発明の開示の実施形態による要素１６、２６、３６、７６、及び１０２とすることができる様々なタイプのデバイスの概略図を示している。
【００１７】
図１６は、入力又は出力接触デバイス２０２を含むように構成された接触入力又は出力要素２００の概略図を示している。センサ要素２０２は、温度センサのような多くの異なる要素とすることができる。
【００１８】
図１７は、超音波出力デバイス２０６を含むように構成された出力要素２０４の概略図を示している。出力要素２０４は、本明細書に説明するウェアラブルデバイスの１つに出力要素２０４を取り付けるように構成された締結装置２０８を含むように構成される。締結装置２０８は、ネジ山、差し込みマウント、又は他のタイプの装着装置として構成することができる。
【００１９】
図１８は、電子接触デバイス２１２を含むように構成された接触要素２１０の概略図を示している。
【００２０】
図１９は、針２１６を含むように構成された接触要素２１４の概略図を示している。針２１６は、薬剤、薬物、又は他の化学物質を送出するように構成することができる。針２１６は、接触要素２１４から予め決められた量だけ延びるように構成することができ、指の作用によって延びることができ、又は手動で又は電気的に作動させることができる機械的装置によって延びることができる。
【００２１】
図２０は、本明細書に説明するように構成することができる針２１６及び血糖計ストリップ(glucose meter strip)２２０を含むように構成された接触要素２１８の概略図を示しており、針２１６及び血糖計ストリップ２２０は、相互に隣接して位置し、針２１６によって皮膚に刺した後に吸い上げられる血液を血糖計ストリップ２２０まで運ぶようになっている。
【００２２】
図２１は、薬物、薬剤、又は化学物質２２６を含むように構成された吸収材料２２４を含むように構成された接触要素２２２の概略図を示している。吸収材料２２４は、被験者又は患者の皮膚に接触要素２２２を付加する前に取り除かれる取り外し可能又は取り剥がし可能な層２２８によって覆うことができる。
【００２３】
図２２は、磁気センサ２３２を含むように構成された要素２３０の概略図を示している。
【００２４】
図２３は、蛍光灯２３６を含むように構成された出力要素２３４の概略図を示している。
【００２５】
図２４は、マイクロ波放出器２４０を含むように構成された出力要素２３８の概略図を示している。
【００２６】
図２５は、高周波（ＲＦ）放出器２４４を含むように構成された出力要素２４２の概略図を示している。
【００２７】
図２６は、血糖計ストリップ２４８を含むように構成された接触要素２４６の概略図を示している。
【００２８】
図２７は、原位置での分析又は保存のために体の分泌物、血液、又はいずれかのタイプの生体物質又は非生体物質（粉末、粉塵、小石、及び類似のもの等）のような試料を捕捉するために孔隙及び一方向性弁を有する面を含む試料収集器を含むように構成された接触要素２４８の概略図を示しており、収集器は、リザーバを含む。
【００２９】
図２８は、マイクロフォンのような音声受信デバイス２５４を含むように構成された入力要素２５２の概略図を示している。しかし、圧電要素のような他のデバイスも、必ずしもマイクロフォンとして機能しないが、音の振動を感知することができることは理解しなければならない。そのようなデバイスにより、医師は、本発明の開示の特殊な手袋及び指ぬきを着用することによって心音を聴くことができる。医師が自身の指で心臓部分に触れると、心音が、マイクロフォンによって補捉され、プロセッサに送信され、プロセッサが音を分析し、異常な心音又は心ノイズが感知されると警報システムが起動され、以下に限定されるものではないが、手袋又は指ぬきデバイス上でのローカルな報告、又は腕時計、携帯電話、タブレット、コンピュータ、メガネ、及びいずれの他の電子デバイスを含む遠隔デバイスによる無線を含む本発明の開示に説明する視覚及び／又は音声システムのいずれかによって異常を報告する。腕時計のような本発明の開示に説明するいずれかの電子デバイスは、本発明の開示の指ぬき状又は手袋状デバイスにワイヤによって接続することができる点は理解しなければならない。
【００３０】
図２９は、カメラ２５８を含むように構成された入力要素２５６の概略図を示している。本発明の開示の手袋状デバイスにより、外科医は、患者への手術を行っている間及び内臓を握っている間にそのような内蔵の写真を撮影することができる。
【００３１】
図３０は、フィルタを含むように構成することができるレンズアセンブリ２６２、及び光検出器又はアレイとして構成することができる検出器２６４を含むように構成された入力要素２６０の概略図を示している。
【００３２】
図３１は、複数の放出器及び検出器デバイス２６８を含むように構成された接触要素２６６の概略図を示している。放出器及び検出器デバイス２６８は、本明細書に説明する入力及び出力デバイスのうちの１又は２以上とすることができる。そのようなデバイスは、時間に対してオフセット様式で作動し、放出と検出器を被覆又は沈めることでその後の検出とを可能にする。そのような補助的デバイスは、例えば、加熱デバイス及び温度測定デバイス、又はこれに代えて光放出器−検出器対とすることができる。
【００３３】
図３２は、非接触センサ２７２を含むように構成された接触要素２７０の概略図を示している。非接触センサ２７２が、接触要素２７０の凹部２７４内に位置するように構成されるのに対して、接触要素２７０の端部２７６は、被験者又は患者の皮膚に当接する。
【００３４】
図３３は、非接触センサ２８０を含むように構成された非接触要素２７８の概略図を示している。
【００３５】
図３４は、非接触要素２８２の凹部２８８内に位置する放出器２８４及び検出器２８６を含むように構成された非接触要素２８２の概略図を示している。放出器−検出器対も面上に位置付けられて、例えば、パルスオキシメータのように測定中に皮膚に触れることができる点は理解しなければならない。
【００３６】
図３５は、イオントフォレーゼ薬物、薬剤、又は化学物質送出システム２９２を含むように構成された接触要素２９０の概略図を示している。
【００３７】
図３６は、加熱及び／又は冷却デバイス２９６、及び温度センサ２９８を含むように構成された接触要素２９４の概略図を示している。接触要素２９４は、デバイス２９６と温度センサ２９８の間の熱伝導を最小限にするために熱的に遮断されるように構成された要素本体３００を含むように更に構成される。
【００３８】
図３７は、マイクロフォン又は音声受信機３０４及びスピーカ又は音声出力３０６を含むように構成された入力／出力要素３０２の概略図を示している。入力／出力要素３０２は、音声出力３０６によって放出された振動を減衰するように構成することができる要素本体３０８を含むように構成することができる。更に、音声受信機３０４は、要素本体３０８の凹部３０８内に位置し、音声出力３０６によって入力／出力要素３０２の周辺の空気内に放出される音声の捕捉を最小限にすることができる。
【００３９】
図３８は、加熱及び／又は冷却デバイス２９６、吸収材料３１２、及び薬物、薬剤、又は化学物質３１４を含むように構成された接触要素３１０の概略図を示している。
【００４０】
図３９は、複合加熱及び／又は冷却及び血圧測定デバイス３１８を含むように構成された接触要素３１６の概略図を示している。
【００４１】
図４０は、血管の脈拍を感知して血圧を測定するようになった圧力センサプレート３２２を含むように構成された接触要素３２０の概略図を示している。接触要素３２０は、血管から音を補捉するためにマイクロフォンを含むことができる点は理解しなければならない。
【００４２】
図４１は、レーザダイオードアセンブリ３２６及び検出器３２８を含むように構成された入力／出力要素３２４の概略図を示している。入力／出力要素３２４は、血流のドップラー測定を実行するように構成される。
【００４３】
図４２は、圧力センサ３３２を含むように構成された接触要素３３０の概略図を示している。
【００４４】
図４３は、皮膚へのエネルギの伝達のための接触要素の拡大図を示している。
【００４５】
図４４は、本発明の開示の例示的実施形態による全体的に３４０に示した指ぬき状デバイスの図を示している。デバイス３４０は、図４４の実施形態では温度計であるセンサ３４２を含むように構成される。デバイス３４０は、本発明の開示で開示するいずれかの医療デバイス又は他のデバイスを含むことができ、これらのウェアラブル医療デバイスがこの実施形態の範囲内であることは理解しなければならない。デバイス３４０は、基本的に円筒形のデバイス本体３４４を含むように構成される。デバイス本体３４４は、延長部、突出部、又は舌部３５０を含み、その中に電源３４６及び電子機器３４８が位置する。センサ３４２は、以前の実施形態に説明した接触要素及び非接触要素に類似することができる。デバイス３４０はまた、送信機、受信機、又は送受信機３５２も含み、これは、例えば、携帯電話、腕時計、メガネ、タブレット、コンピュータ、無線機、及び類似のものとすることができる遠隔又は個別の電子デバイス３５４と通信するように構成される。
【００４６】
図４５は、本発明の開示の例示的実施形態による全体的に３６０に示した別の指ぬき状デバイスの図を示している。デバイス３６０は、センサ３６２と、デバイス本体３６４と、２つの延長部、突出部、又は舌部３６６とを含む。上側延長部３６６上に位置するのは、ディスプレイ３６８及びスピーカ３７０であり、これらの各々は、測定値の報告に使用することができる。デバイス３４０と同様に、デバイス３６０は、電源３４６を含み、送信機、プロセッサなどの要素を含むことができる。
【００４７】
図４６は、本発明の開示の例示的実施形態による全体的に３８０に示した更に別の指ぬき状デバイスの図を示している。デバイス３８０は、センサ３８２と、デバイス本体３８２とを含み、デバイス本体は、センサ３８２が位置するデバイス本体３８２の部分から反対端にある開放リング構成３７２で終端する。デバイス本体３８２は、電力供給部又は電源３４６と、電子機器３４８と、送信機、受信機、又は送受信機３５２とを含む。電源３４６及び電子機器３４８のようなデバイス３６０の要素は、開放リング３７２のアーム３７４上に位置することができる。
【００４８】
接触要素又は非接触要素とすることができるセンサ３６２は、本明細書に開示する指ぬき状構成又は手袋構成の先端又は端部３７６上に装着されるように示しているが、センサ３６２は、指の爪区域及び／又は指紋区域を含む指ぬき状構成又は手袋構成のあらゆる部分内又は上に配置することができる点は理解しなければならない。例えば、図４７は、本発明の開示の例示的実施形態による全体的に３９０に示した更に別の指ぬき状デバイスの図を示している。デバイス３９０は、デバイス本体３９２と、延長部、突出部、又は舌部３９４とを含む。デバイス３９０はまた、１つの延長部３９４上に位置する電源３４６と、プロセッサ（図示せず）を含む電子機器と、送信機３５２とを含むことができる。デバイス３９０は、更に、デバイス本体３９２の指紋区域又は部分３９８上に位置するセンサ３９６を含む。
【００４９】
実施形態は、指上で使用するための指ぬき状として説明しているが、開示する実施形態は、手首、いずれかの身体部分、又はいずれかの基本的に円筒形又は丸形又は円形の身体部分又は物体上に使用することができる点は理解しなければならない。図１から４６に開示するデバイスのいずれも、本発明の開示の実施形態のいずれかにおいて、並びに本発明の開示に説明するあらゆるデバイス、及び例として放出器−検出器対に統合することができる点は理解しなければならない。
【００５０】
図４８は、本発明の開示の例示的実施形態による全体的に４１０に示した更に別の指ぬき状デバイスの図を示している。指ぬき状デバイス４１０は、ウェアラブルデバイスシステム４１２の一部分であり、システムは、手首支持式デバイス４１４、及びデバイス４１０を手首支持式デバイス４１４に接続するケーブル又はワイヤ４１６も含む。手首支持式デバイス４１４は、腕時計として構成することができ、手首ストラップ又はバンド４１８を含む。手首支持式デバイスは、電源４２０と、プロセッサ４２２と、ケーブル４３０への接続を提供する外部プラグ４２８を受け入れるためのデータポート４２４と、携帯電話、腕時計、メガネ、タブレット、コンピュータ、無線機、及び類似のものを含むことができる遠隔デバイス３５４と通信するための通信デバイスとして説明することができる送信機、受信機、又は送受信機４２６とを含む。手首支持式デバイスは、主本体の一部としてディスプレイを含むことができるが、個別のディスプレイ４３２を設けることもできる。
【００５１】
図４９は、本発明の開示の例示的実施形態による全体的に４４０に示した更に別の指ぬき状デバイスの図を示している。この実施形態では、２つの指ぬき状デバイス４４０がウェアラブル物品システム(wearable article system)４４２の一部として含まれ、システムは、手首支持式デバイス４４４、及び手首支持式デバイス４４４を各指ぬき状デバイス４４０に接続するワイヤ又はケーブル４４６を含む。図４９の実施形態では、一方の指ぬき状デバイス４４０は、人差し指上に位置し、他方の指ぬき状デバイスは、中指上に位置する。
【００５２】
図５０及び５１は、本発明の開示の例示的実施形態による全体的に４５０に示した手袋デバイスの図を示している。手袋デバイス４５０は、手袋本体４５２と、手袋本体４５２から延びる２つの指延長部４５４とを含む。手袋本体４５２の構成は、指ぬき状構成よりも良好な手の支持を提供するようになっている。各指延長部４５４は、非閉塞的に手を使用することができるように開放底部区域４５６を含む。各指延長部４５４は、同じセンサ又は異なるセンサとすることができるセンサ４５８を含む。手袋本体４５２は、ディスプレイ４６２、スピーカ４６４、プロセッサ４６６、及び電源４６８を有する手首支持部分４６０を含み、従って、手袋デバイス４５０がデータのローカル報告を提供することを可能にする。図５１は、手袋デバイス４５０がユーザによって作動されて、センサ４５８がＡＢＴＴ終端２８の皮膚上に位置しているのを示しているが、センサ４５８が非接触要素の場合に、センサ４５８は、ＡＢＴＴ終端２８から離間してＡＢＴＴ終端２８に隣接して位置することができる。
【００５３】
図５２は、本発明の開示の例示的実施形態による全体的に４７０に示した別のウェアラブル手袋デバイスの図を示している。手袋デバイス４７０は、標準的な５本指の手袋構成で構成され、少なくとも２つのセンサ又は測定デバイス４７２を含み、これらの各々が、手袋デバイス４７０の１つの指４７４上に位置する。本発明の開示の状況では、１つの指４７４は、親指を含むと見なさなければならない。手袋デバイス４７０の中指４７４は、光源４７６のような別のデバイスを含むことができる。手袋デバイス４７０は、更に、手首部分４７８を含み、そこにディスプレイ４８０、スピーカ４８２、プロセッサ４８４、電源４８６、及び例えば携帯電話、腕時計、メガネ、タブレット、コンピュータ、無線機、及び類似のものとすることができる遠隔デバイス３５４と通信するように構成された送信機、受信機、又は送受信機４８８を含む。
【００５４】
図５３は、本発明の開示の例示的実施形態による全体的に４９０に示した更に別のウェアラブル手袋デバイスの図を示している。デバイス４９０は、２つの指延長部４９４を有する２本指構成を含むデバイス本体４９２を含む。各指延長部は、周囲の一部分で開口しており、従って、非閉塞的な手の使用を可能にするか又は許す。各指延長部４９４は、延長部の遠位端又は先端に位置するセンサ４９６を含む。デバイス本体４９２は、薄い手首部分４９８を含み、その上又はその中に電源５００、低密度の構成を可能にするための最小限の電子機器５０２、及び遠隔デバイス３５４と通信するように構成された送信機、受信機、又は送受信機５０４を含む。以前の実施形態と同様に、送受信機５０４は、例えば、携帯電話、腕時計、メガネ、タブレット、コンピュータ、無線機、及び類似のものを含むことができる遠隔デバイス３５４と通信するように構成される。１よりも多いセンサを有する実施形態のいずれも、１つのみのセンサ、１つのみの指延長部で機能することができ、１つのセンサ及び１つの指延長部が本発明の開示の範囲内であることは理解しなければならない。
【００５５】
図５４−５７は、本発明の開示の例示的実施形態による全体的に５１０に示したウェアラブル指輪又は指輪状デバイスの図を示している。デバイス５１０は、指輪又は指輪形状デバイスとして示しているが、図５４のデバイスは、いずれかの基本的に円形又はＣ形状の構成を含むことができ、そのような構成が本発明の開示の範囲内であることは理解しなければならない。デバイス５１０は、デバイス本体５１２を含む。デバイス本体５１２は、基本的に円筒又は半円のバンド５１４を含む。デバイス本体５１２はまた、複数の角度に向けることができる延長部５１６も含む。延長部５１６上に位置するのは、センサ５１８である。延長部５１６を都合の良い角度に位置決めすることにより、センサ５１８は、例えば、図５７に示すように、ＡＢＴＴ終端２８の近くに、そこに、それに隣接して、それと並んで、又は接触して位置することができる。デバイス本体５１２は、送信機、受信機、又は送受信機５２０と、電源５２２と、プロセッサ５２４とを含む。送受信機５２０は、遠隔デバイス３５４と通信するように構成される。延長部５１６は、好ましくは、復元力を有するプラスチックのような調節可能材料又は可撓性材料、又は他の可撓性材料から作られ、又はこれに代えてセンサ５１８をＡＢＴＴ終端２８に位置合わせすることを可能にするヒンジ機構を含む。図５５は、ユーザの指上に指輪デバイス５１０が着用され、延長部５１６がデバイス本体５１２の円筒又は円形形状に位置合わせした元の位置から曲げられて移動されており、点線によって示すようにかつ図５７に示すように、ＡＢＴＴ終端２８に位置合わせさせるために指の皮膚上で隆起された位置で位置決めされるように示している。
【００５６】
図６０は、本発明の開示の例示的実施形態による更に別の指輪又は指輪状デバイスの図を示している。
【００５７】
図５８は、本発明の開示の例示的実施形態による全体的に５３０に示した別の指輪又は指輪状デバイスの図を示している。デバイス５３０は、視覚的又は聴覚的にデータをローカルに報告するためのディスプレイ５３２及びスピーカ５３４を含む。
【００５８】
図５９は、本発明の開示の例示的実施形態による全体的に５４０に示した更に別の指輪又は指輪状デバイスの図を示している。デバイス５４０は、図５４−５７の構成の拡張であり、複数の延長部５１６を含み、これらの各々が、同時に信号を受信するための又は２つのＡＢＴＴ終端を測定するためのセンサ５１８を含む一体型又は単一型二重指輪構成の一部として含まれる。
【００５９】
図６０は、本発明の開示の例示的実施形態による全体的に５５０に示した更に別の指輪又は指輪状デバイスの図を示している。デバイス５５０は、ユーザの指上に着用されたデバイス本体５５２を含む。以前の実施形態と同様に、図示していないが、デバイス本体５５２は、送受信機、送信機、又は受信機５２０と、電源５２２と、プロセッサ５２４とを含む。デバイス本体５５２は、更に、摺動機構５５４を含む。摺動機構５５４の少なくとも１つの可動部分上に位置するのは、１組のセンサ５５６である。図６０の例示的実施形態では、摺動機構５５４のただ１つの部分が、センサ５５６間の離間距離又は分離を変更するために可動式であり、２つの分離されたＡＢＴＴ終端２８から信号を受信することができるように、センサ５５６の間隔が最適化される。代替実施形態では、各センサ５５６は、摺動機構の可動部又は部分上に位置することができる。
【００６０】
図６１は、本発明の開示の例示的実施形態による全体的に５６０に示した更に別の指輪又は指輪状デバイスの図を示している。デバイス５６０は、半円、半円筒、又はＣ形状で設けられたデバイス本体５６２を含む。デバイス５６０は、デバイス５６０の終端部分を形成する突出部５６６上に位置するセンサ５６４を含む。デバイス５６０はまた、ローカル報告のためのディスプレイ５６８も含む。デバイス５６０は、更に、電源５２２及びプロセッサ５２４を含む。
【００６１】
図６２−６４は、本発明の開示の例示的実施形態による全体的に５７０に示した更に別の指輪又は指輪状デバイスの図を示している。デバイス５７０は、必ずしも必要ではないディスプレイ５６８が除外されている以外は、デバイス５６０に類似し、遠隔デバイス３５４と通信するための送信機、受信機、又は送受信機５７２が含まれる。図６３は、ユーザの指上に着用されたデバイス５７０を示している。図６４は、ユーザの顔又は鼻上又はこれに隣接して位置するデバイス５７０の別の図を示しており、センサ５６４がＡＢＴＴ終端２８に位置合わせするように位置決めされ、ＡＢＴＴ終端２８から遠隔に信号又は放射線を受信し、及び／又はＡＢＴＴ終端２８に対して信号又は放射線を放出する。
【００６２】
図６３及び６４は、ユーザの指上に着用された図６２の指輪又は指輪状デバイスの図を示している。
【００６３】
図６４は、ユーザによって作動されている図６２の指輪又は指輪状デバイスの更に別の図を示している。
【００６４】
図６５は、本発明の開示の例示的実施形態による全体的に５８０に示した更に別の指輪又は指輪状デバイスの図を示している。デバイス５８０は、半円のデバイス本体５８２を含む。デバイス本体５８２の上側部分には、複数の別々に摺動可能又は移動可能なスライド５８４が位置する。各移動可能スライド５８４の遠位端又は遠方端５８６には、センサ５９０が位置する。センサ５９０間の間隔又は離間距離は、移動可能スライド５８４を移動して個々の間の変動を受け入れることによって調節される。移動可能スライド５８４に加えて、デバイス本体５８２は、好ましくはＸ、Ｙ、及びＺ軸における調節を可能にする可撓性材料から作られた上側部分５９２を含む。
【００６５】
図６６及び６７は、本発明の開示の例示的実施形態による全体的に６００に示した指輪又は指輪状デバイスの図を示している。デバイス６００は、いずれかの基本的に円形、半円、円筒、又は半円筒、又はＣ形状の構成を含むことができるデバイス本体６０２を含む。デバイス本体６０２は、デバイス本体６０２の固定延長部６０４を含む。延長部６０４は、以前に数回記したように、以前の実施形態に説明した接触要素及び非接触要素に類似することができ、延長部上に位置するセンサ６０６を含む。デバイス６００はまた、電源５２２及びプロセッサ５２４を含む。固定延長部６０４は、好ましくは、復元力を有するプラスチックのような調節可能材料又は他の可撓性材料から作られ、又はこれに代えてセンサ６０６をＡＢＴＴ終端２８に位置合わせすることを可能にするヒンジ機構を含む。図６７は、ユーザの指上にデバイス６００が着用され、固定延長部６０４が指の平面又は上面を超えて突出しているのを示している。
【００６６】
図６８及び６９は、本発明の開示の例示的実施形態による全体的に６１０に示した別の指輪又は指輪状デバイスの図を示している。デバイス６１０は、円形又は円筒形のデバイス本体６１２を含む。デバイス本体６１２は、例示的実施形態では、１又は２以上の溝（図示せず）を含む摺動機構６１４を含む。摺動機構６１４上に位置するのは、センサ６１６である。摺動機構６１４は、眼窩の上盤に位置付けられたＡＢＴＴ終端２８から信号を受信するためのセンサ６１６の位置を微調節するために移動可能又は調節可能である。
【００６７】
図７０及び７１は、本発明の開示の例示的実施形態による全体的に６２０に示した更に別の指輪又は指輪状デバイスの図を示している。デバイス６２０は、本明細書に説明する他の指輪又は指輪状デバイスの実施形態に関して以前に説明した要素のいずれかを含むことができる。デバイス６２０は、デバイス本体６２２を含む。デバイス本体６２２は、ヒンジ６２６によってデバイス本体６２２に取り付けられた湾曲本体レバー又は延長部６２４を含む。本体レバー又は延長部６２４はまた、Ｃ形状として説明することができる。本体レバー又は延長部６２４のヒンジ６２６からの遠位端又は反対端に位置するのは、ＡＢＴＴ終端２８からの信号を測定するように構成されたセンサ６２８である。図７０は、開放位置にある本体レバー又は延長部６２４を示しており、図７１は、閉鎖位置にある本体レバー又は延長部６２４を示している。
【００６８】
図７２−７４は、本発明の開示の例示的実施形態による全体的に６３０に示した指輪又は指輪状デバイスの図を示している。デバイス６３０は、デバイス本体６３２を含む。デバイス本体６３２は、ほぼ反対方向に延びる１組の可撓性アーム６３４を含む。各可撓性アーム６３４は、デバイス本体６３２から可撓性アーム６３４の反対側である面６３６を含む。各面６３６上に位置するのは、センサ６３８である。可撓性アーム６３４は、デバイス本体６３２をＡＢＴＴ終端２８の位置に対して調節することができるように可撓性であるように構成される。デバイス６３０は、送受信機、プロセッサ、及び電力供給部又は電源を含む他の指輪又は指輪状デバイスの実施形態に開示された要素の１又は２以上を含むことができる。
【００６９】
図７５−７８は、本発明の開示の例示的実施形態による全体的に６５０に示した手支持式デバイスの図を示している。デバイス６５０は、湾曲面６５４を含むことができるデバイス本体６５２を含む。デバイス６５０は、更に、カメラ６５６と、プロセッサ及び／又は他の電子機器６５８と、電源又は電力供給部６６０と、送受信機、送信機、又は受信機６６２とを含む。カメラ６５６は、ＡＢＴＴ終端２８から赤外線及び他の信号を受信して分析することができる。例示的実施形態では、湾曲面６５４は、ＡＢＴＴ終端２８の測定のためにユーザがデバイス６５０を位置決めするのを支援するためのディスプレイを含むことができる。別の例示的実施形態では、湾曲面６５４は、これもデバイス６５０の位置決めを支援するために反射性とすることができる。デバイス６５０はまた、ＡＢＴＴ終端２８の測定のための別のセンサ６６４も含むことができる。図７７に示すように、センサ６６４は、センサ６６４の一部分がデバイス本体６５２の背面部分６６６から突出するように十分に大きくすることができる。ユーザ又はオペレータに使い易さを提供するために、デバイス本体６５２は、背面部分６６６から延びるハンドル６６８を含むことができる。デバイス６５０はまた、例えば、背面部分６６６の上側部分に位置するディスプレイ６７０も含むことができる。ディスプレイ６７０は、カメラ６５６及び／又はセンサ６６４からの読取値に関する情報を提供する一般的なディスプレイとすることができる。
【００７０】
図７９は、本発明の開示の例示的実施形態による全体的に６８０に示した別のデバイスの図を示している。デバイス６８０は、ハンドル６６８が湾曲単一指ループ６８２に置換されている以外は、デバイス６５０に類似する。
【００７１】
図８０及び８１は、本発明の開示の例示的実施形態による全体的に６９０に示した更に別のウェアラブルデバイスの図を示している。デバイス６９０は、１組のＡＢＴＴ終端２８の間隔に適合するように調節可能な間隔を有することができる１組のセンサ６９４を支持するデバイス本体６９２を含む。デバイス６９０はまた、センサ６９４からのデータをローカルに提示するための１又は２以上のディスプレイ６９６も含むことができ、又はそのような情報は、追加の処理及び／又は表示のために送受信機又は送信機（図示せず）を通じて個別の又は遠隔の電子デバイス３５４に送信することができる。具体的には示していないが、デバイス６９０は、プロセッサ又は他の電子機器、及び電力供給部又は電源を含むことができる。センサ６９４が患者又は被験者により近い手首又は前腕側に位置し、同時にディスプレイ６９６がユーザに利用可能又は可視であるように、デバイス６９０は、ユーザの手首又は前腕上に支持されるように構成される。
【００７２】
図８２−８４は、本発明の開示の例示的実施形態による全体的に７００に示した手持ち式デバイスの図を示している。デバイス７００は、調節可能センサ７０４がセンサ７０４の視界とほぼ適合するように、離間した１組の調節可能センサ７０４を支持するデバイス本体７０２を含む。センサ７０４の調節機能は、視野を変更するための角度を通じて行うことができ、又は摺動機構（図示せず）によって行うことができる。センサ７０４は、ＡＢＴＴ終端２８からの信号の測定のための本明細書の他の箇所に説明したセンサのいずれかとすることができる。デバイス本体７０２の背面部分７０６から延びるのは、ハンドル又は指ループのような手支持体７０８である。デバイス７００はまた、リセットスイッチ７１０、視野又は摺動調節を提供するための調節スイッチ７１２、位置調節のためにセンサ７０４のうちの１つを選択することを可能にする左／右センサスイッチ７１４のようなセンサ７０４の作動のための様々な制御器も含むことができる。背面部分７０６はまた、ディスプレイ７１６、及び左及び／又は右のＡＢＴＴ終端２８との位置合わせがいつ達成されるかの表示を提供する調節インジケータ７１８も支持することができる。そのような表示は、例えば、ＡＢＴＴ終端２８を示す予め決められた範囲の温度を見つけることに基づくことができる。そのような表示は、ＡＢＴＴ終端２８への近接性を示すために可変とすることができる。例えば、予め決められた温度が華氏９７度の場合に、赤色は、華氏９０度未満を表すことができ、橙色は、華氏９０−９３度の範囲を表すことができ、黄色は、華氏９３−９５度を表すことができ、淡緑色は、華氏９５から９７度を表すことができ、鮮緑色は、華氏９７度を超える温度を表すことができる。本明細書に開示する他の実施形態と同様に、デバイス７００は、電源又は電力供給部と、プロセッサ及び／又は他の電子機器と、送受信機、送信機、又は受信機とを含むことができる。
【００７３】
本明細書に説明する全ての測定は、パラメータの測定であることは理解しなければならない。そのような測定は、ＡＢＴＴ終端２８で行うことができるが、他の場所で行うこともできる。更に、これらのパラメータは、皮膚の面で測定することができるが、これらのパラメータは、本明細書で上述のように身体内部の条件を表すことができる点は理解しなければならない。
【００７４】
本発明の開示の様々な実施形態を図示して説明したが、これらの実施形態は、それらに限定されるわけではないことは理解される。実施形態は、当業者によって変更、修正、及び更に適用することができる。従って、これらの実施形態は、図示して説明した詳細に限定されず、むしろそのような全ての変更及び修正も含む。
【図１】
2018514256.tif 000003
【図２】
2018514256.tif 000004
【図３】
2018514256.tif 000005
【図４】
2018514256.tif 000006
【図５】
2018514256.tif 000007
【図６】
2018514256.tif 000008
【図７】
2018514256.tif 000009
【図８】
2018514256.tif 000010
【図９】
2018514256.tif 000011
【図１０】
2018514256.tif 000012
【図１１】
2018514256.tif 000013
【図１２】
2018514256.tif 000014
【図１３】
2018514256.tif 000015
【図１４】
2018514256.tif 000016
【図１５】
2018514256.tif 000017
【図１６】
2018514256.tif 000018
【図１７】
2018514256.tif 000019
【図１８】
2018514256.tif 000020
【図１９】
2018514256.tif 000021
【図２０】
2018514256.tif 000022
【図２１】
2018514256.tif 000023
【図２２】
2018514256.tif 000024
【図２３】
2018514256.tif 000025
【図２４】
2018514256.tif 000026
【図２５】
2018514256.tif 000027
【図２６】
2018514256.tif 000028
【図２７】
2018514256.tif 000029
【図２８】
2018514256.tif 000030
【図２９】
2018514256.tif 000031
【図３０】
2018514256.tif 000032
【図３１】
2018514256.tif 000033
【図３２】
2018514256.tif 000034
【図３３】
2018514256.tif 000035
【図３４】
2018514256.tif 000036
【図３５】
2018514256.tif 000037
【図３６】
2018514256.tif 000038
【図３７】
2018514256.tif 000039
【図３８】
2018514256.tif 000040
【図３９】
2018514256.tif 000041
【図４０】
2018514256.tif 000042
【図４１】
2018514256.tif 000043
【図４２】
2018514256.tif 000044
【図４３】
2018514256.tif 000045
【図４４】
2018514256.tif 000046
【図４５】
2018514256.tif 000047
【図４６】
2018514256.tif 000048
【図４７】
2018514256.tif 000049
【図４８】
2018514256.tif 000050
【図４９】
2018514256.tif 000051
【図５０】
2018514256.tif 000052
【図５１】
2018514256.tif 000053
【図５２】
2018514256.tif 000054
【図５３】
2018514256.tif 000055
【図５４】
2018514256.tif 000056
【図５５】
2018514256.tif 000057
【図５６】
2018514256.tif 000058
【図５７】
2018514256.tif 000059
【図５８】
2018514256.tif 000060
【図５９】
2018514256.tif 000061
【図６０】
2018514256.tif 000062
【図６１】
2018514256.tif 000063
【図６２】
2018514256.tif 000064
【図６３】
2018514256.tif 000065
【図６４】
2018514256.tif 000066
【図６５】
2018514256.tif 000067
【図６６】
2018514256.tif 000068
【図６７】
2018514256.tif 000069
【図６８】
2018514256.tif 000070
【図６９】
2018514256.tif 000071
【図７０】
2018514256.tif 000072
【図７１】
2018514256.tif 000073
【図７２】
2018514256.tif 000074
【図７３】
2018514256.tif 000075
【図７４】
2018514256.tif 000076
【図７５】
2018514256.tif 000077
【図７６】
2018514256.tif 000078
【図７７】
2018514256.tif 000079
【図７８】
2018514256.tif 000080
【図７９】
2018514256.tif 000081
【図８０】
2018514256.tif 000082
【図８１】
2018514256.tif 000083
【図８２】
2018514256.tif 000084
【図８３】
2018514256.tif 000085
【図８４】
2018514256.tif 000086
【国際調査報告】
2018514256.tif 000087